(57)【要約】【課題】  ブロック上に設けられた情報伝達用突起部と音または音声により視覚障害者を確実に誘導することができる歩行誘導装置を得る。【解決手段】  線状の情報伝達用の突起部３を有するブロック１ａに組み込んだ超指向性スピーカ２と、点状の情報伝達用の突起部４を有するブロック１ｂの複数の中央部に組み込んだ超指向性スピーカ２に、ブロック１の下部にある配線用溝７内に配線された地中配線６を介して供給される駆動信号によりブロック上方へ音または音声を放射するよう構成した。【選択図】        図１
2005232923.tif 000002
【特許請求の範囲】
【請求項１】
上面に点状の情報伝達用の突起部を有するブロックを複数集めた中央部に、供給される駆動信号により駆動される超指向性スピーカをブロック面上方に音を放射するよう内部に組み込んだブロック群と、上面に線状の情報伝達用の突起部を有するブロックに供給信号により駆動される超指向性スピーカをブロック面上方に音を放射するよう組み込んで帯状に配列したブロック群を備える歩行誘導装置。
【請求項２】
前記超指向性スピーカの放射する音は、音声で案内する音声ガイドであることを特徴とする請求項１記載の歩行誘導装置。
【請求項３】
前記各ブロックには、光を発光するＬＥＤが組み込まれ、外部より供給されるＬＥＤ駆動信号により発光されることを特徴とする請求項１記載の歩行誘導装置。
【発明の詳細な説明】
【技術分野】
【０００１】
この発明は、今後高齢化が進み視覚障害者が増大し、駅ホームや階段および周辺交差点、横断歩道、役所および周辺などに設置して誘導と危険箇所の指示を形状の凸部と音で、歩行誘導するための線状や点状の凸部を設けたブロックとこれらを組み合わせた歩行誘導装置に関する。
【背景技術】
【０００２】
従来の歩行誘導装置は、上面に点字等の情報伝達用突起部を備えたブロック列の一部に透明体を介して複数個の発光体を点灯および消灯自在にして埋設し、ブロック上面の点状または線状等の情報伝達突起を、盲人等が踏みつけることで、自己が立っている位置を知ることを可能とし、また、弱視者等に対しては、ブロックに埋設された発光体からの光を受けることで、進んで行く通路や階段などの変化地帯等を確認できるようにしている（例えば、特許文献１参照）。
【０００３】
【特許文献１】特開平７−２０７６２８号公報（第２−３頁、第３図）
【発明の開示】
【発明が解決しようとする課題】
【０００４】
従来の歩行誘導装置は、弱視者に対しては、ブロックの情報伝達用突起部と発光体の光により歩行誘導できるが、全盲者に対しては、発光体の光が認識できず、ブロックの情報伝達用突起の触覚に頼らざるを得ないという問題点がある。また、弱視者の程度によっては発光体の光の認識が困難な場合もあり、全盲者と同様情報伝達用の突起部の方に頼らざるを得ないという問題がある。
この発明は、上述のような問題点を解決するためになされたもので、聴覚および触覚の２つの感覚を使って判断できる歩行誘導システムを提供することを目的とする。
【課題を解決するための手段】
【０００５】
この発明に係る誘導装置においては、上面に点状の情報伝達用の突起部を有するブロックを複数集めた中央部に、供給される駆動信号により駆動される超指向性スピーカをブロック面上方に音を放射するよう内部に組み込んだブロック群と、上面に線状の情報伝達用の突起部を有するブロックに供給信号により駆動される超指向性スピーカをブロック面上方に音を放射するよう組み込んで帯状に配列したブロック群を備える。
【発明の効果】
【０００６】
この発明は、ブロックに組み込まれた超指向性スピーカを供給される駆動信号で駆動し、音をブロック上方に放射することで、弱視者、全盲者に対し、ブロックの情報伝達用の突起部での誘導と共に、音による歩行誘導が確実にできる。
【発明を実施するための最良の形態】
【０００７】
実施の形態１．
図１は、この発明における実施の形態１の歩行誘導装置を示す図である。図１（ａ）は歩行誘導装置の平面図で、ブロック１ａの上面には情報伝達用の線状突起部３があり、長指向性スピーカ２が組み込まれている。ブロック１ａを帯状に配列し歩行通路を形成している。また、ブロック１ｂには、点状の突起部４があり、ブロック１ｂを４枚組み合わせたブロック群の中央部に超指向性スピーカ２が組み込まれている。ブロック１ａは、主として、線状突起部３の情報で「進め」の情報を与え、ブロック１ｂの点状突起部４は、「注意」や「止まれ」の情報を与えている。ブロック１ｂは、通常、図のように複数個を配置して、「注意」や「止まれ」の伝達情報を強調している。すなわち、横断歩道の手前、階段の上や下、通路方向の変化地帯などの情報を与えている。
図１（ｂ）は、図１（ａ）の平面図のＡ−Ａ’の断面図である。超指向性スピーカ２にはブロック列の下部に設けられた溝７に配線された地中配線６から駆動信号が供給される。ここで、超指向性スピーカの指向特性（図中に点線で示す）を２０°程度とすれば、１つのブロックの１辺を５０ｃｍとした場合、ブロック上面高さ１．５ｍで可聴範囲が半径２６ｃｍ程度となり、隣接する超指向性スピーカの指向性への影響は微小である。超指向性スピーカ２からの音の大きさは、ブロック１の上面１．５から１．７ｍで最適音量になるよう駆動信号を供給すればよい。また、ブロック１ｂを４個寄せて、その中央に組み込む超指向性スピーカ２の指向特性は４０°程度にすれば、４個のブロックをカバーできる。また、ブロック１ｂのそれぞれの中心に超指向性スピーカ２を組み込む場合には、ブロック１ａに用いた２０°程度の指向特性のものとすればよい。
このようにすると、視覚障害者がブロックの通路から外れると、急激に音が小さくなるため、音が大きくなるほうへ方向を修正すればよく、確実な歩行が行える。また、通路上を歩行する人には超指向性スピーカからの音は聞こえるが、通路から離れている健常者には聞こえないので、通路周囲に対して騒音となることはない。
また、図１（ｃ）は、図１（ｂ）のＢ円内の詳細を示す図である。超指向性スピーカ２の上部には、超指向性スピーカ２を保護するためにブロック１の上面と面一になるように保護体５が設けられている。保護体５は、超指向性スピーカ２の音が通過可能なように格子状などの窓空間を設けた、金属性、鋳物、または強化プラスチック樹脂などで作られている。超指向性スピーカ２はブロックの内部に設置され、ブロック下部の配線用の溝７に配線された地中配線６を超指向性スピーカ２の下部に設けた配線孔をとおして超指向性スピーカ２と接続している。
【０００８】
つぎに、地中配線６によって供給される駆動信号について説明する。超指向性スピーカ２を駆動する駆動信号は、超指向性スピーカ２から放射される音を隣接するブロックとの周波数を異ならせる信号とすれば、通路上を歩行する障害者には、ブロック交互に異なる音が聞こえるので、周囲からの音や雑音等と明確に識別でき、歩行の誘導音となる。また、交互に断続音を放射するような駆動信号でもよい。
【０００９】
また、ブロック１ｂの指向性スピーカからは、横断歩道の手前や階段、通路の曲がりなど通路の変化地帯を伝えるためブロック１ａ指向性スピーカの音とは異なる音にする。これにより、障害者は自己が通路の変化地帯に差し掛かったことが明確に認識できる。
【００１０】
以上では、ブロックに組み込まれた超指向性スピーカの放射する音を単調音として説明してきたが、駆動信号を音声信号としてもよい。たとえば、通路の変化地帯では、その変化地帯の情報を音声案内するようにすることもできる。階段の上や下の変化地帯の音声案内としては、「何段の階段の上にいます」または「何段の階段の下にいます」など階段の段数情報も含めたものとしてもよい。このようにすれば、変化地帯がどのような変化があるのか、変化の内容が詳細に視覚障害者へ伝達でき、具体的に認識できる。
さらに、上記に加えて、周辺情報を音声案内としてもよい。ブロック１ａの通路帯であっても、建物、店やバス停などの周辺施設や場所の情報を音声案内することで、視覚障害者にさらなる利便性を提供できる。
また、超指向性スピーカの駆動信号を音や音声案内に加えて、音楽信号として、超指向性スピーカから音楽を流してもよい。音楽により、気分よく確実な歩行支援ができる。
【００１１】
以上のように、この実施の形態１によれば、ブロックに超指向性スピーカを組み込み、ブロック列の上面上方のみに、音、音声案内の情報、音楽などを流すことにより、視覚障害者へやさしい案内ができると共に、通路の変化地帯の情報提供もでき、弱視者や全盲者の視覚障害者の確実な歩行誘導ができる。
【００１２】
実施の形態２．
なお、実施の形態１では、ブロックの情報伝達用突起部と超指向性スピーカから放射する音や音声案内で視覚障害者を歩行誘導するようにしたが、図２は、この発明の実施の形態２における、ブロックに超指向性スピーカとＬＥＤを組み込んだ歩行誘導装置を示す図である。
図２において、ブロック１ａには超指向性スピーカ２と共にＬＥＤ８が組み込まれている。またブロック１ｂにも、超指向性スピーカ２と共にＬＥＤ８が組み込まれている。これらのＬＥＤ８は、図１（ｂ）の溝７内に配線された別の地中配線により供給されるＬＥＤ用の駆動信号により点灯される。変化地帯を構成するブロック１ｂと通路帯を構成するブロック１ａに組み込まれるＬＥＤ８の発光する色は異なる発光色とし、変化地帯を強調する。たとえば、ブロック１ａでは、緑色の発光色とし、ブロック１ｂでは赤色の発光色とする。
【００１３】
以上のように、この実施の形態２によれば、情報伝達用の突起部を設けたブロックに超指向性スピーカを組み込むと共にＬＥＤを組み込んだ構成としたので、突起部による触覚、音や音声案内による聴覚と発光色による視覚で通路および変化地帯を判断でき、視覚障害者の的確な歩行誘導ができる。
【００１４】
以下、この発明の実施の一形態を説明する。
実施の形態３．
図３は、この発明の実施の形態３による歩行誘導装置のブロック構成図である。
【００１５】
ブロックが設置されている部分に人が近づいてくると、人感センサーが作動して制御装置に人が来ていると判断してＣＤプレーヤー等の音声再生装置を再生する信号を出す。ＣＤプレーヤー等の音声再生装置が再生を始めると、ブロックに組み込んだ超指向性スピーカから音声誘導が開始される。
通行人がいない場合は、超指向性スピーカからの音声誘導は省エネの為に実施しない。
【００１６】
以上のように、この実施の形態３によれば、情報伝達用の突起部を設けたブロックに超指向性スピーカを組み込むと共にＬＥＤを組み込んだ構成としたので、突起部による触覚、音や音声案内による聴覚と発光色による視覚で通路および変化地帯を判断でき、視覚障害者の的確な歩行誘導ができる。
【図面の簡単な説明】
【００１７】
【図１】この発明の実施の形態１における歩行誘導装置の構成を示す図である。
【図２】この発明の実施の形態２における歩行誘導装置の構成を示す図である。
【図３】この発明の実施の形態３における歩行誘導装置の構成を示す図である。
【符号の説明】
【００１８】
１  ブロック、２  超指向性スピーカ、３  線状突起部、４  点状突起部、５  保護体、６  地中配線、７  溝、８  ＬＥＤ。
【図１】
2005232923.tif 000003
【図２】
2005232923.tif 000004
【図３】
2005232923.tif 000005